(57)【要約】【課題】部品点数が少なく、組立てが簡単であり、高い融雪効率を有し、足を滑らせる危険が少なく、設置安定性も良好であり、コンパクトに折畳んで狭い収納スペースに収納保管できる融雪マットを提供する。【解決手段】天板１ａに左右方向の開口部１ｂの列を数列形成した柔軟性を有するパネル状マット１を接続部品４で前後方向に折畳み可能に数枚接続し、発熱体３を金属パイプ２に挿通して開口部１ｂの各列に沿わせてパネル状マット１の天板１ａの裏側に取付けた構成の融雪マットとする。発熱体３からの熱が開口部１ｂを通ってマット１上の雪を直接融かすため融雪効率が高く、開口部１ｂが滑止め作用を発揮し、マット１が柔軟性を有するため凹凸のある地面に置敷きしても設置安定性が良い。部品点数が少ないので組立も簡単である。【選択図】図１
2005220638.tif 000002
【特許請求の範囲】
【請求項１】
天板に左右方向の開口部の列を数列形成した柔軟性を有するパネル状マットを前後方向に数枚接続し、発熱体を上記開口部の各列に沿わせてパネル状マットの天板の裏側に取付けたことを特徴とする融雪マット。
【請求項２】
発熱体を金属パイプに挿通して開口部の各列に沿わせた請求項１に記載の融雪マット。
【請求項３】
パネル状マットの天板の裏面に、脚リブを開口部の各列の両側に沿わせて一対ずつ形成し、それぞれの一対の脚リブの間に発熱体を挿通した金属パイプを嵌着して開口部の各列の直下に取付けた請求項２に記載の融雪マット。
【請求項４】
金属パイプを角パイプとしてその両側面に山形の断面形状を有する係止凸部を形成すると共に、一対の脚リブの対向面に山形の断面形状を有する係合凸部を形成し、金属パイプの係止凸部を脚リブの係合凸部に係止させて金属パイプを一対の脚リブの間に嵌着した請求項３に記載の融雪マット。
【請求項５】
パネル状マットを接続部品によって１８０度折畳み可能に接続した請求項１に記載の融雪マット。
【請求項６】
パネル状マットの前縁と後縁に凹部を少なくとも２箇所ずつ形成して各凹部に左右方向の支軸部を設けると共に、この支軸部に外嵌可能な下端の開いた軸受部を接続部品の裏面側に一対形成し、前後に隣接するパネル状マットの相対向する凹部に接続部品を嵌め込んで一対の軸受部を相対向する凹部の支軸部に外嵌することにより、パネル状マットを１８０度折畳み可能に接続した請求項５に記載の融雪マット。
【請求項７】
数枚接続したパネル状マットのうち、前端に位置するパネル状マットの前縁及び／又は後端に位置するパネル状マットの後縁に、パネル状マットに向かって上り傾斜となる斜面を有するスロープ状の縁枠を取付けた請求項１に記載の融雪マット。
【発明の詳細な説明】
【技術分野】
【０００１】
本発明は、店舗や家屋の入口に至るアプローチ等に置敷きされて雪や氷を効率良く融かすことができる融雪マットに関する。
【背景技術】
【０００２】
この種の融雪装置として、表面プレートの裏面に補強部材を設けて表面プレートを支持させ、表面プレートの裏側にはり板を設けてその下面に電熱線などの加熱手段を取付けると共に、歩行者が足を滑らさないように表面プレートの上に滑止め材を設けたものが知られている（特許文献１）。
【０００３】
しかしながら、上記の融雪装置は部品点数が多く、表面プレートの裏側に補強部材、はり板、加熱手段などが複雑に組み込まれるため、組立作業が面倒で手間がかかるという問題があった。
【０００４】
しかも、上記の融雪装置は、加熱手段からはり板、表面プレート、滑止め材を伝導してきた熱によって雪を融かすため、加熱手段から発生する熱で直接雪を融かす場合に比べると、融雪効率が悪いという問題もあった。
【０００５】
また、表面プレートを支持する補強部材は剛性の高い部材であるため、この融雪装置を凹凸のある地面に設置すると、安定性が悪くガタツキを生じるという問題もあった。
【０００６】
更に、上記の融雪装置は、コンパクトに折り畳むことができないため、雪の降らない季節に収納、保管する際に広い収納スペースが必要になるという問題もあった。
【特許文献１】特開２００３−２９３３１１号公報
【発明の開示】
【発明が解決しようとする課題】
【０００７】
本発明は上記の問題に対処すべくなされたもので、部品点数が少なく、組立てが簡単であり、高い融雪効率を有し、足を滑らせる危険が少なく、設置安定性も良好であり、コンパクトに折畳んで狭い収納スペースに収納保管できる、便利な融雪マットを提供することを解決課題とする。
【課題を解決するための手段】
【０００８】
上記課題を解決するため、本発明に係る融雪マットは、天板に左右方向の開口部の列を数列形成した柔軟性を有するパネル状マットを前後方向に数枚接続し、発熱体を上記開口部の各列に沿わせてパネル状マットの天板の裏側に取付けたことを特徴とするものである。
【０００９】
本発明の融雪マットにおいては、発熱体を金属パイプに挿通して開口部の各列に沿わせて取付けることが好ましい。その場合、パネル状マットの天板の裏面に脚リブを開口部の各列の両側に沿わせて一対ずつ形成し、それぞれの一対の脚リブの間に発熱体を挿通した金属パイプを嵌着して開口部の各列の直下に取付けるようにするのが一層好ましい。そして、金属パイプを角パイプとしてその両側面に山形の断面形状を有する係止凸部を形成すると共に、一対の脚リブの対向面に山形の断面形状を有する係合凸部を形成し、金属パイプの係止凸部を脚リブの係合凸部に係止させて金属パイプを一対の脚リブの間に嵌着するようにするのが更に好ましい。
【００１０】
また、本発明の融雪マットにおいては、パネル状マットを接続部品によって１８０度折畳み可能に接続することが好ましい。その場合、パネル状マットの前縁と後縁に凹部を少なくとも２箇所ずつ形成して各凹部に左右方向の支軸部を設けると共に、この支軸部に外嵌可能な下端の開いた軸受部を接続部品の裏面側に一対形成し、前後に隣接するパネル状マットの相対向する凹部に接続部品を嵌め込んで一対の軸受部を相対向する凹部の支軸部に外嵌することにより、パネル状マットを１８０度折畳み可能に接続するようにすれば更に好ましい。また、数枚接続したパネル状マットのうち、前端に位置するパネル状マットの前縁及び／又は後端に位置するパネル状マットの後縁に、パネル状マットに向かって上り傾斜となる斜面を有するスロープ状の縁枠を取付けることも好ましい。
【発明の効果】
【００１１】
本発明の融雪マットは、基本的にはパネル状マットと発熱体とで構成されるため、部品点数が少なく、簡単に組立てることができる。しかも、パネル状マットの天板の開口部の列に沿って裏面に取付けられた発熱体から発生する熱が、開口部を通ってパネル状マットの天板に積もった雪を直接融かすため、融雪効率が優れている。そして、このパネル状マットの天板の開口部が滑止め作用を発揮するため、歩行者が足を滑らせて転倒する危険性が少ない。また、柔軟性を有するパネル状マットは、凹凸のある地面やアプローチに置敷きしても、パネル状マットが凹凸に沿って変形するため、設置安定性が良くガタツキを生じることがない。
【００１２】
更に、発熱体を金属パイプに挿通して開口部の各列に沿わせて取付けた本発明の融雪マットは、発熱体が金属パイプによって保護されるため、発熱体が損傷する心配がなく、耐久性が向上する。そして、パネル状マットの天板の裏面に脚リブを開口部の各列の両側に沿わせて一対ずつ形成し、それぞれの一対の脚リブの間に発熱体を挿通した金属パイプを嵌着して開口部の各列の直下に取付けた本発明の融雪マットは、金属パイプの取付位置が決まっているので組立作業が容易である。特に、金属パイプを角パイプとしてその両側面に山形の断面形状を有する係止凸部を形成すると共に、一対の脚リブの対向面に山形の断面形状を有する係合凸部を形成し、金属パイプの係止凸部を脚リブの係合凸部に係止させて金属パイプを一対の脚リブの間に嵌着した本発明の融雪マットは、金属パイプを一対の脚リブの間に下方から強く押し込んで係止凸部を係合凸部に係止させるだけの簡単な作業により金属パイプをワンタッチで取付けることができるため、組立作業が一層簡単になり、金属パイプが脱落する心配もなくなる。
【００１３】
また、パネル状マットを接続部品によって１８０度折畳み可能に接続した本発明の融雪マットは、コンパクトに折畳んで狭い収納スペースに収納、保管することができる。特に、パネル状マットの前縁と後縁に凹部を少なくとも２箇所ずつ形成して各凹部に左右方向の支軸部を設けると共に、この支軸部に外嵌可能な下端の開いた軸受部を接続部品の裏面側に一対形成し、前後に隣接するパネル状マットの相対向する凹部に接続部品を嵌め込んで一対の軸受部を相対向する凹部の支軸部に外嵌することにより、パネル状マットを１８０度折畳み可能に接続した本発明の融雪マットは、接続部品によるパネル状マットの接続作業が極めて簡単であり、且つ、パネル状マット同士を確実に１８０度折畳み可能に接続することができる。
【００１４】
更に、数枚接続したパネル状マットのうち、前端に位置するパネル状マットの前縁及び／又は後端に位置するパネル状マットの後縁に、パネル状マットに向かって上り傾斜となる斜面を有するスロープ状の縁枠を取付けた本発明の融雪マットは、スロープ状の縁枠によって歩行者が融雪マットにつまずくのを防止でき、自転車等も融雪マットに乗り上げやすくなる。
【発明を実施するための最良の形態】
【００１５】
以下、図面を参照して本発明の具体的な実施形態を詳述する。
【実施例１】
【００１６】
図１は本発明の一実施形態に係る融雪マットの分解斜視図、図２は同融雪マットの平面図、図３は図２のＡ−Ａ線拡大断面図、図４は図３の円で囲んだ部分の拡大断面図、図５は同融雪マットに用いる接続部品の斜視図、図６は同融雪マットの折畳んだ状態を示す側面図、図７は同融雪マットに用いる発熱体保持部品の斜視図、図８は同融雪マットに用いるスロープ状の縁枠の断面図である。
【００１７】
この融雪マットは、図１に示すように、パネル状マット１、金属パイプ２に挿通した発熱体３などの主要構成部品と、接続部品４、縁枠５、発熱体保持部品６などの付属部品とで構成されている。
【００１８】
パネル状マット１は、合成樹脂エラストマーや半硬質塩化ビニル樹脂などで長方形のパネル状に一体成形された柔軟性を有するマットであって、接続部品４を用いて前後方向に所望の枚数だけ接続できるようになっており、凹凸のある地面に置敷きすると、その凹凸に沿うように変形してガタツキなく安置できるものである。
【００１９】
パネル状マット１の天板１ａには、多数の矩形の開口部１ｂが左右方向に一定間隔をあけて列状に形成されており、この開口部１ｂの列が前後方向に一定の間隔をあけて数列（この実施例では３列）形成されている。開口部１ｂの大きさは特に制限されないが、あまりにも大き過ぎると、ハイヒールの踵や傘の先端などが開口部１ｂに嵌まり込むといった不都合を生じるし、あまりにも小さ過ぎると、開口部１ｂの列に沿って天板１ａの裏側に取付けられる発熱体３から天板上面への放熱性が低下するといった不都合を生じるので、開口部１ｂの幅を５〜１０ｍｍ程度、長さを３０〜４０ｍｍ程度に設定することが好ましい。尚、開口部１ｂの形状は、矩形のほか長円形、楕円形など所望の形状とすることができる。
【００２０】
開口部１ｂの列と列との間隔（前後の間隔）についても特に制限されないが、間隔があまりにも広すぎると、開口部１ｂの列に沿って天板１ａの裏側に取付けられる発熱体３の間隔（ピッチ）が広くなり過ぎて発熱量が不足したり天板上面の均一な加熱が困難になるといった不都合を生じるし、開口部１ｂの列と列との間隔があまりにも狭すぎると、発熱体３の全長が長くなり過ぎて材料費が高くつくといった不都合を生じるので、開口部１ｂの列と列との間隔は５０〜８０ｍｍ程度に設定することが好ましい。
【００２１】
図１に示すように、パネル状マット１の天板１ａの周囲には側板１ｃが形成されており、左右の側板１ｃは、接続されたパネル状マット１を１８０度折畳むときにコーナー部が当たらないようにアールが形成されている。そして、図３に示すように、天板１ａの裏面には、発熱体３を挿通した金属パイプ２を嵌着するための一対の脚リブ１ｄ，１ｄが、開口部１ｂの各列の両側に沿って平行に形成されている。また、開口部１ｂの列と列との中間部には中間の脚リブ１ｅが形成されると共に、この中間の脚リブ１ｅと直交する脚リブ１ｆも多数形成されており、これらの脚リブによってパネル状マット１の全体的な強度が高められている。
【００２２】
発熱体３は、可撓性チューブに抵抗発熱線を挿通して可撓性チューブと抵抗発熱線との隙間に電気絶縁体を充填したものであって、通電すると抵抗発熱線が発熱して冬期でも数十℃まで加熱できるものである。この発熱体３は図１に示すように複数本の金属パイプ２に挿通されて蛇行状に配置されており、その両端がリード線７ａ，７ｂに接続されている。そして、この発熱体３を挿通した金属パイプ２は、図３及び図４に示すように、パネル状マット１の天板裏面の前記一対の脚リブ１ｄ，１ｄの間に嵌着され、これによって発熱体３が蛇行しながら開口部１ｂの各列に沿って真下に取付けられている。このように発熱体３を金属パイプ２に挿通して取付けると、発熱体３が金属パイプ２によって保護されるため、発熱体３が短期間で損傷する心配がなくなり耐久性が向上する。
【００２３】
発熱体３を挿通した金属パイプ２はアルミニウム製の角パイプであって、図４に示すように、この金属パイプ２の両側面の下部には山形の断面形状を有する係止凸部２ａ，２ａが形成されており、これに対応して、一対の脚リブ１ｄ，１ｄの対向面には、山形の断面形状を有する係合凸部１ｇ，１ｇが形成されている。また、金属パイプ２の両側面の上部には、係止凸部２ａと同じ高さの補助凸部２ｂ，２ｂも形成されている。この金属パイプ２は一対の脚リブ１ｄ，１ｄの間に下方から押し込まれ、図４に示すように、金属パイプ２の係止凸部２ａ，２ａが脚リブ１ｄ，１ｄの係合凸部１ｇ，１ｇに係止して脱落不能に開口部１ｂの列の真下に取付けられると共に、金属パイプ２の補助凸部２ｂ，２ｂが脚リブ１ｄ，１ｄの対向面に当接してガタツキなく取付けられている。このような取付手段を採用すると、金属パイプ２を脚リブ１ｄ，１ｄの間に押し込むだけの極く簡単な作業によって、発熱体３を挿通した金属パイプ２をワンタッチで確実に取付けることができるため、融雪マットの組立作業の効率が大幅に向上する利点がある。
【００２４】
図１に示す実施例では、２枚のパネル状マット１，１に対して１本の発熱体３を蛇行させながら、天板１ａに形成された開口部１ｂの各列の真下に取付けているが、１枚のパネル状マット１に対して１本の発熱体３を蛇行させながら取付けてもよいし、３枚以上のパネル状マットに対して１本の発熱体３を蛇行させながら取付けてもよい。また、発熱体３の金属パイプ２から露出している左右の折返し部分は保温材で被覆することが好ましくい、このようにすると発熱体３の左右折返し部分の温度低下が防止されるので、パネル状マット１を左右両端部に至るまで均一に加熱できる利点がある。更に、金属パイプ２は、発熱体３からの熱伝導性を考慮するとパイプ内面が発熱体３と接触する金属パイプを使用することが好ましいが、このように発熱体３が内面に接触する金属パイプは発熱体３を挿通し難いので、発熱体３を両側から挟んで外嵌着できる二分割タイプの金属パイプを用いて、その内面に発熱体３を接触させた状態で二分割タイプの金属パイプを外嵌着することにより、発熱体３を金属パイプに挿通することが好ましい。
【００２５】
各パネル状マット１の前縁と後縁には、接続部品４を嵌め込む凹部１ｈが左右２箇所ずつ形成されており、各凹部１ｈには左右方向の支軸部１ｉが設けられている。また、各パネル状マット１の前縁と後縁の左右両端部には、発熱体保持部品６を嵌め込む凹部１ｊも設けられている。
【００２６】
接続部品４は、図５に示すように、方形の天板４ａの裏面に下端が開いた二股状の軸受部４bを一対形成したものであって、図１、図２に示すように前後に隣接するパネル状マット１，１の相対向する凹部１ｈ，１ｈに接続部品４の天板４ａが嵌め込まれると共に、図３に示すように接続部品４の軸受部４ｂ，４ｂが凹部１ｈ，１ｈの支軸部１ｉ，１ｉに上方から外嵌着され、これによって双方のパネル状マット１，１が１８０度折畳み可能に接続されている。このようにしてパネル状マット１を複数枚、例えば４枚接続した融雪マットは、図６に示すように４枚のパネル状マット１を接続部分でジグザグに１８０度折畳むことによってコンパクトに収納、保管できるため、収納スペースを節約することができる。
【００２７】
一方、発熱体保持部品６は図７に示すように断面が逆Ｕ字形の部品であって、左右の側板６ａ，６ａには突起６ｂが一対ずつ形成されており、天板６ｃと、左右の側板６ａ，６ａと、該側板６ａ，６ａの下端中央部を連結する連結片６ｄとで囲まれる内部空間６ｅが、発熱体３を挿通する空間となっている。この発熱体保持部品６は、図１、図２に示すように、接続されたパネル状マット１，１の相対向する凹部１ｊ，１ｊに嵌め込まれると共に、その突起６ｂが凹部１ｊ，１ｊの側面の孔１ｋに挿入されて取付けられており、蛇行する発熱体３の折返し部分が発熱体保持部品６の上記内部空間６ｅに挿通されて保持されている。この発熱体保持部品６の突起６ｂは、接続部品４を嵌め込む凹部１ｈに設けられた支軸部１ｉと同軸関係にあるため、接続されたパネル状マット１，１を１８０度折畳むときに妨げとなる心配はなく、発熱体３を弛んだり伸びたりしないように保持することが可能である。
【００２８】
所望枚数が接続されたパネル状マット１のうち、前端に位置するパネル状マット１の前縁には、パネル状マット１に向かって上り傾斜となる斜面を有するスロープ状の縁枠５が取付けられている。図１，図２に示すように、この縁枠５にはパネル状マット１の前記凹部１ｈに嵌め込まれる突片５ａが左右２箇所に設けられ、図３，図８に示すように、各突片５ａには下端の開いた二股状の軸受部５bが形成されている。そして、この縁枠５は、突片５ａをパネル状マット１の凹部１ｈに嵌め込むと共に、軸受部５ｂを凹部１ｈの支軸部１ｉに上方から外嵌着することによって、パネル状マット１の前縁に取付けられている。また、この縁枠５の両端には、パネル状マット１の前記凹部１ｊに嵌め込まれる凸部５ｃも形成されている。このようなスロープ状の縁枠５を取付けると、歩行者が融雪マットにつまずくのを防止でき、また、自転車等も融雪マットに乗り上げやすくなる。尚、この縁枠５は、後端に位置するパネル状マット１の後縁に取付けてもよい。
【００２９】
以上のような構成の融雪マットは、組立が簡単で、凹凸のあるアプローチ等に置敷してもガタツキなく安置することができ、通電すると、発熱体３から放出される熱がパネル状マット１の天板１ａの開口部１ｂを通って、天板１ａに積もった雪を直接融かすため、融雪効率が良好である。そして、開口部１ｂが滑止め作用を発揮するため、歩行者が足を滑らせて転倒する危険性が少なく、また、コンパクトに折畳んで狭い収納スペースに収納、保管することもできる。
【００３０】
尚、必要とあらば、パネル状マット１の上に床シートを敷くことが好ましく、このようにすると発熱体３からの熱伝導性が高められて融雪効率の更なる向上を図ることができるようになる。床シートとしては、合成樹脂製の床シートや合成ゴム製の床シートなどが使用される。
【図面の簡単な説明】
【００３１】
【図１】本発明の一実施形態に係る融雪マットの分解斜視図である。
【図２】同融雪マットの平面図である。
【図３】図２のＡ−Ａ線拡大断面図である。
【図４】図３の円で囲んだ部分の拡大断面図である。
【図５】同融雪マットに用いる接続部品の斜視図である。
【図６】同融雪マットの折畳んだ状態を示す側面図である。
【図７】同融雪マットに用いる発熱体保持部品の斜視図である。
【図８】同融雪マットに用いる縁枠の断面図である。
【符号の説明】
【００３２】
１    パネル状マット
１ａ  天板
１ｂ  開口部
１ｄ  脚リブ
１ｇ  係合凸部
１ｈ  凹部
１ｉ  支軸部
２    金属パイプ
３    発熱体
４    接続部品
４ｂ  軸受部
５    スロープ状の縁枠
【図１】
2005220638.tif 000003
【図２】
2005220638.tif 000004
【図３】
2005220638.tif 000005
【図４】
2005220638.tif 000006
【図５】
2005220638.tif 000007
【図６】
2005220638.tif 000008
【図７】
2005220638.tif 000009
【図８】
2005220638.tif 000010